Podtech/llm-jp-corpus-v4-ja_patent huggingface dataset:
(57)【要約】【課題】種々の形状の立体物等を粘土で成形する際に適した芯材を提供すること。【解決手段】本発明に係る粘土芯材は、可撓性を備えた素材で構成された平面状もしくは棒状の連結ユニットの複数箇所に、連結用凸部と連結用凹部とを配設した。前記連結用凸部と連結用凹部は前記連結ユニットの端部等に配設されている。【選択図】図１
2012139817.tif 000002
【特許請求の範囲】
【請求項１】
可撓性を備えた素材で構成された平面状もしくは棒状の連結ユニットの複数箇所に、連結用凸部と連結用凹部とを配設したことを特徴とする粘土芯材。
【請求項２】
前記連結用凸部と連結用凹部とは、前記連結ユニットの少なくとも周辺部に配設されていることを特徴とする請求項１に記載の粘土芯材。
【発明の詳細な説明】
【技術分野】
【０００１】
本発明は、粘土を用いて種々の立体物を成形する際に使用する芯材に関するものである。
【背景技術】
【０００２】
従来は、粘土で立体物を成形する際に用いる芯材には、例えば木製の棒を所望の長さに切断したものを、複数用意しておき、これらの棒を所望の形状に組み合わせた状態で、紐や針金等を巻き付けて固定することが行われていた。
また、近年では、所定の立体形状（例えば貯金箱等）を粘土で成形するための芯材としては、前記所定の立体形状に対応した特定形状に成形された樹脂製の芯材が販売されている。
【発明の概要】
【発明が解決しようとする課題】
【０００３】
木製の棒を多数組み合わせて芯材とする方法では、芯材の組み立てに時間を要するという問題と、自由な立体形状に組み立てることは難しいという問題があった。
また、特定形状に成形された芯材では、種々の形状の立体物や、創作性の高い形状の立体物を成形するためには適さないという問題があった。
そこで、本発明は、種々の形状の立体物や、創作性の高い形状の立体物を粘土で成形する際に適した芯材を提供することを目的としてなされたものである。
【課題を解決するための手段】
【０００４】
本発明にかかる粘土芯材は、可撓性を備えた素材で構成された平面状もしくは棒状の連結ユニットの複数箇所に、連結用凸部と連結用凹部とを配設したことを特徴としている。
また、前記連結用凸部と連結用凹部とは、前記連結ユニットの少なくとも周辺部に配設されている。
【発明の効果】
【０００５】
本発明にかかる粘土芯材によれば、可撓性を備えた素材で構成されているので、撓ませて曲げることによって、容易に曲面を形成することができる。
連結ユニットは、棒状となっているので、細長い部分の芯も容易に作成できる。
連結ユニットは、平面状となっているので、広い面積の部分の芯も容易に作成できる。
連結ユニットの複数箇所に、連結用凸部と連結用凹部とを配設したので、所望の部分で連結することができる。
前記連結用凸部と連結用凹部とは、前記連結ユニットの少なくとも周辺部に配設されているので、互いに連結しやすい。
【図面の簡単な説明】
【０００６】
【図１】図１は平面状の連結ユニットの斜視図である。（実施例１）
【図２】図２は棒状の連結ユニットの斜視図である。（実施例２）
【図３】図３は平面状の連結ユニットと棒状の連結ユニットを複数個連結して構成した芯材の斜視図である。
【発明を実施するための形態】
【０００７】
本発明にかかる粘土芯材は、可撓性を備えた素材で構成された平面状もしくは棒状の連結ユニット連結ユニットの複数箇所に、連結用凸部と連結用凹部とを配設したものであり、例えば、図１に示したように平面状の連結ユニット１もしくは図２に示したように棒状の連結ユニット２である。
前記連結ユニット１、２の例えば周辺部には、前記連結用凸部Ａと連結用凹部Ｂとが配設されている。
【０００８】
上記構成の複数の連結ユニットを用意し、一方の連結ユニットの連結用凸部Ａを、他方の連結ユニットの連結用凹部Ｂにはめ込むことによって、２つの連結ユニットを連結する。さらに他の連結ユニットと連結して所望の広さの平面状の芯材連結体を構成する。
粘土立体像の台部分を構成する際には、前記平面状の芯材連結体の表面に粘土を押しつけて立体像を成形する。
粘土立体像の芯部分を構成する際には、前記平面状の芯材連結体を曲げて、一方の端部の連結用凸部Ａと、他方の端部の連結用凹部Ｂとをはめ込んで連結することによって、曲面で形成され、内部に空間を備えた立体的な芯材が得られる。複数箇所において、連結用凸部と連結用凹部とを連結していくことによって、安定した形状の立体的な芯材を得ることができる。
可撓性を備えた素材としては、軟質ポリエチレン樹脂等の合成樹脂素材を用いることができる。
【０００９】
細長い部分を構成する場合には、図２に示したような棒状の連結ユニット２を用いるとよい。
この立体的な芯材の表面に粘土を押しつけていくことによって、前記立体的な芯材の表面に沿って粘土を立体的に配設して、立体的な粘土像を成形することができる。
このように、前記連結ユニットは、可撓性を備えているので、容易に曲げて連結することができ、曲線を持った立体的な芯材を容易に形成できる。
複数の連結用凸部と連結用凹部とを備えているので、相互に連結した際に確実に連結された安定した、広い面積もしくは大きな体積の立体的な芯材連結体を構成することができる。
【実施例１】
【００１０】
図１に示した実施例１の平面状の連結ユニット１は、例えば四角形状の連結ユニットであり、その周辺部である４隅には、連結部１１を突出させて、前記連結部１１の表側には連結用凹部Ｂを設け、裏側には連結用凸部Ａを設けた。前記連結部１１は突出させなくてもよい。
前記連結部１１には連結用凸部Ａだけを設けてもよく、連結用凹部Ｂだけを設けてもよい。
また、前記連結ユニット１の平面部分１２にも多数の連結用凹部Ｂを設け、いずれの連結用凹部Ｂにも、別の連結用凸部Ａを差し込んで連結できるように構成されている。平面部分１２には、連結用凸部Ａを設けてもよい。
複数の連結ユニット１を連結する場合には、裏表同じ向きの状態で連結してもよいが、裏返した連結ユニットと連結してもよい。
前記平面状の連結ユニットは、四角形状としてもよいが、三角形状、円形状などとしてもよい。
【実施例２】
【００１１】
図２に示した実施例２の棒状の連結ユニット２は、例えば棒状の連結ユニットであり、その周辺部である両端には連結用凸部Ａと連結用凹部Ｂとが配設され、軸上にも連結用凸部Ａもしくは連結用凹部Ｂが配設されている。前記棒状の連結ユニットは、直線状でもよいが、曲線状としてもよい。
実施例１の連結ユニット１と実施例２の連結ユニット２とを複数個連結した広い面積の平面状の芯材の例を図３に示した。図３の平面状の芯材を曲げて立体的な芯材とすることができる。
【符号の説明】
【００１２】
１  平面状の連結ユニット
Ａ  連結用凸部
Ｂ  連結用凹部
１１  連結部
１２  平面部分
２  棒状の連結ユニット
【図１】
2012139817.tif 000003
【図２】
2012139817.tif 000004
【図３】
2012139817.tif 000005
(57)【要約】【課題】  冊子において凸部を形成したタブまたは付箋、ないし栞などの冊子から飛び出すことで視認できる検索方法は、同一部分におらず、変形することもあり目に障害を持つ人にとって、検索部分を探さなければ識別がつきにくく頭出しすることが困難であった。【解決手段】  上記課題を解決するために、冊子１の頭出しをしたいページの一部２に、指の感触のみにより他のページと区別できる識別手段を設けたことを特徴とする冊子が提供される。また、検索をしたいページが複数の場合において、検索効率を上げるには、切欠きの形状を変えるか、冊子の角隅２と異なる角隅３を活用する。【選択図】図１
2012139999.tif 000002
【特許請求の範囲】
【請求項１】
冊子の頭出しをしたいページの一部に、ページをめくる指の感触のみにより他のページと区別できる識別手段を設けることを特徴とする検索方法の冊子。
【請求項２】
前記識別手段が同一角隅に設けたページの切欠きにより凹部を特徴とする請求項１に記載の識別手段付き冊子。
【請求項３】
前記切欠きによる凹部に沿った部分に補強手段を設けたことを特徴とする請求項２に記載の識別手段付き冊子。
【請求項４】
冊子の頭出しのページが複数の場合において、各ページの前記識別手段が他のページの前記記載の識別手段とページをめくる指の感触のみで区別できることを特徴とする請求項１ないし３のいずれかに記載の識別手段付き冊子。
【請求項５】
冊子の頭出しのページが複数の場合において、階層による頭出しで他のページと区別をする場合は、頭出ししたいページの異なる角隅に他のページと区別できる識別手段を設けページをめくる指の感触のみで区別できることを特徴とする請求項１ないし４のいずれかに記載の識別手段付き冊子。
【請求項６】
切欠きにより凹部を形成とすることで記載情報の欠落を防ぐため、綴じ代がない３辺の余白より綴じ代のない角隅のみに余白を広く設けた書式の請求項１ないし５のいずれかに記載の冊子。
【発明の詳細な説明】
【技術分野】
【０００１】
本発明は、冊子の頭出しするページの角隅を凹部に切欠きを入れ検索を容易にした冊子。
【背景技術】
【０００２】
冊子において、凸部を形成したタブまたは付箋、栞など、または、ミシン目などですでに切り込みがあり、検索を容易にしたものがある。
【０００３】
【特許文献１】特開平９−２２０８８３  公報
【特許文献２】実公昭３６−６０９  公報
【特許文献３】実開昭５５−１７４３６３  公報
【発明の開示】
【発明が解決しようとする課題】
【０００４】
数字や文字で記載された従来の冊子では、目に障害を持つ人にとって、識別がつきにくく頭出しすることが困難であった。
【０００５】
冊子において凸部を形成したタブまたは付箋、ないし栞などの冊子から飛び出すことで視認できる検索方法は、同一部分におらず、変形することもあり目に障害を持つ人にとって、検索部分を探さなければ識別がつきにくく頭出しすることが困難であった。
【課題を解決するための手段】
【０００６】
上記課題を解決するために、冊子の頭出しをしたいページの一部に、指の感触のみにより他のページと区別できる識別手段を設けたことを特徴とする冊子が提供される  かかる冊子により、目に障害を持つ人もページをめくる指の感触で識別のページを検索することができる。
【０００７】
また、前記識別手段がページの角隅に設けた切欠きによる凹部であることを特徴とする識別手段付き冊子が提供される。
【０００８】
また、前記切欠きによる凹部に沿った部分に補強手段を設けたことを特徴とする識別手段付き冊子が提供される。
【０００９】
また、前記冊子の識別のページが複数の場合において、各ページの前記識別手段が他のページの前記識別手段とページをめくる指の感触のみで区別できることを特徴とする識別手段付き冊子が提供される。
【００１０】
また、前記冊子の識別のページが複数の場合において、階層による頭出しで他のページと区別する場合は、頭出ししたいページの異なる角隅に他のページと区別できる識別手段を設けページをめくる指の感触のみで区別できることを特徴とする識別手段付き冊子が提供される。
【００１１】
また、前記冊子の切欠きにより凹部を形成とすることで記載の情報の欠落を防ぐため、綴じ代がない３辺の余白より角隅のみに余白を広く設けた書式の冊子が提供される。
【発明の効果】
【００１２】
本発明により、冊子の頭出ししたいページの検索方法が増え、従来のページを開く効果が得られなかった人に新しい検索手段を提供できる。
【図面の簡単な説明】
【００１３】
【図１】図1は、本発明に係る冊子の全体を現す実施形態１を示す斜視図である。
【図２】図２は、本発明に係る冊子の実施形態２を示す斜視図である。
【図３】図３は、本発明に係る冊子の実施形態３を示す図である。
【図４】図４は、本発明に係る冊子の実施形態４を示す図である。
【図５】図５は、本発明に係る冊子の実施形態５を示す図である。
【図６】図６は、本発明に係る冊子の実施形態６を示す図である。
【発明を実施するための形態】
【００１４】
本発明に係る冊子の実施の形態を図面に基づいて説明する。図１において、１は冊子であって、冊子表紙４、４間に複数の用紙２をとじ合わせたもので、その用紙２の頭出ししたいページの角隅２に切欠きの設定をする。綴じ代図３のある辺とその両角は加工しない。図２シール３等を貼り合わせることでさらに補強でき検索の効果が上がるものである。図３から図５は、表紙を見開いた表紙のある面により切欠きのある場所を示したものである。図６は、切欠きを行う冊子の角隅の形態を含む書式を示す図である。
【実施例】
【００１５】
検索したいページを設定する冊子において、各々のページの同一角隅に切欠きを、表紙の側から検索できるよう以下のように取り決める。
左表紙の冊子について、検索ページを開いた右側のページ１枚の角隅に切欠きを入れる。図３
右表紙の冊子について、検索ページを開いた左側のページ１枚の角隅に切欠きをいれる。図４
縦開き冊子について、検索ページを開いた下側のページ１枚の角隅に切欠きを入れる。図５
【００１６】
頭出しする対象のページが何番目の切欠きかを数えるため、表紙の次のページから切欠きを入れたページの角隅を走らせるようにめくると切欠きのページのみ指の感触が異なる。これを繰り返し、検索したい頭出しの数だけ進めることでページの頭出しができる。
【００１７】
検索をしたいページが複数の場合において、検索効率を上げるには、切欠きの形状を変えるか、冊子の角隅と異なる角隅を活用する。
【図１】
2012139999.tif 000003
【図２】
2012139999.tif 000004
【図３】
2012139999.tif 000005
【図４】
2012139999.tif 000006
【図５】
2012139999.tif 000007
【図６】
2012139999.tif 000008
(57)【要約】【課題】ニンニクの芯は火にかけると焦げやすく美味しくなく、調理時には取り除くが、細く柔らかくニンニク内部で曲がっていて取り出しにくく、堅く細い棒で押し出すと芯からずれて押し出せなく、ニンニクの輸切り後は薄いためニンニクが割れやすく、全ての枚数分を取り除く作業が煩わしかった。本発明は、ニンニクの芯を取るためのニンニクの芯取り器具を提供する。【解決手段】にぎり部の先端に、複数の凸部付さの可撓性アームを設ける。【選択図】図１
2012139476.tif 000002
【特許請求の範囲】
【請求項１】
にぎり部の先端に、複数の凸部付きのアームを設けたニンニクの芯取り器具。
【請求項２】
にぎり部は平たん部を持った円柱状であることを特徴とする請求項１記載のニンニクの芯取り器具。
【請求項３】
アームは可撓性素材からなり、にぎり部の外周縁上に設けたことを特徴とする請求項１または請求項２記載のニンニクの芯取り器具。
【発明の詳細な説明】
【技術分野】
【０００１】  本発明は、ニンニクの芯を取る器具に関するものである。
【背景技術】
【０００２】  従来、ニンニクの芯を取るには、主に芯穴からツマヨウジなどの棒で押し出すか、輪切り後に指で芯を押し出して取り出していた。
【発明の概要】
【発明が解決しようとする課題】
【０００３】  ニンニクの芯は火にかけると焦げやすく美味しくなく、調理時には取り除くが、細く柔らかくニンニク内部で曲がっていて取り出しにくく、堅く細い棒で押し出すと芯からずれて取り出せなく、ニンニクを輪切り後は薄いためニンニクが割れやすく、全ての枚数分を取り除く作業が煩わしかった。
本発明は、以上の問題点を解決するためになされたものである。
【課題を解決するための手段】
【０００４】  にぎり部の先端に、複数の凸部付きのアームを設ける。
以上の構成よりなるニンニクの芯取り器具。
【発明の効果】
【０００５】  従来、無かったニンニクの芯取りを、本発明により安全に簡単に取り出すことができる。
【図面の簡単な説明】
【０００６】
【図１】本発明の斜視図
【図２】本発明の正面図
【図３】本発明の使用状態を示す斜視図
【図４】本発明のアーム先端部図面
【発明を実施するための形態】
【０００７】  以下、本発明の実施の形態を説明する。
にぎり部（１）の先端にアーム（２）を設け、アーム部に先端から長さの半分以上有する凸部（３）を設ける。
にぎり部の形状は円柱状、又は図１に示す通り円柱状で側面の一部に平坦部（４）を持つ事が好ましい。
アーム部は可撓性素材、又はステンレス素材を用い、にぎり部の軸中心を外した位置、外周縁上に設ける。また、にぎり部の側面の一部に平坦部分を持たせた場合は、アームは平坦部分近傍に設ける。
アーム先端凸部は挿入しやすいように先端部の凸部のみ小さくし（図４参照）、一定の間隔を設けた物と螺旋状の物とがあり、アーム先端からアーム長さの半分以上有している。
本発明は以上のような構造である。
【０００８】  本発明を使用するときは、ニンニクの上部（６）、下部（７）を包丁で切り落し、芯穴が見える状態にして、にぎり部（１）を持ち、凸部（３）がある、アーム（２）を、ニンニクの上部（６）から芯穴に挿入してニンニクの芯（８）を押し出す。このとき、アームがにぎり部の軸中心から外れていることにより、にぎり部を転がすことによって、アームの高さが調整可能となっている。大きさの異なるニンニクにも対応が可能である。
【符号の説明】
【０００９】１  にぎり部、２  可撓性アーム、３  凸部、４  平坦部、５  ニンニク、６  ニンニク切り口上部、７  ニンニク切り口下部、８  ニンニクの芯
【図１】
2012139476.tif 000003
【図２】
2012139476.tif 000004
【図３】
2012139476.tif 000005
【図４】
2012139476.tif 000006
(57)【要約】      （修正有）【課題】スリッパを履いて屋内を歩行することができる掃除用吸着シートを提供する。【解決手段】スリッパの底面に形取りした掃除用吸着シートの片面に、貼って剥せる粘着剤を塗り付けて、スリッパの底面に張り合わせる事が出来るようにして、屋内を歩く事で衣類等から出るチリとホコリ等、ペット又は人からの脱毛した毛を吸着掃除をする。尚、使用するスリッパは特別に加工とか、工夫をすることなく一般に販売されているスリッパ、又は現在家族で使用しているスリッパをそのまま使用する。【選択図】図１
2012139477.tif 000002
【特許請求の範囲】
【請求項１】
ホコリ、又はペットの毛等をからんで吸着する掃除用シートの一方の面に、スリッパの底面に貼着するための粘着面を設けた事を特徴とする屋内スリッパの底面に貼って剥せる掃除用吸着シート。
【発明の詳細な説明】
【技術分野】
【０００１】本発明は、屋内スリッパの底面に形取った掃除用吸着シートに関するものである。
【背景技術】
【０００２】従来、掃除をするときは、電気掃除機又は掃除用シートをモップ型の装置につけてホコリ等を、吸い取るか吸着させて掃除をします、したがって常時ホコリや脱毛等を、取払う事が出来なかった。
【発明の概要】
【発明が解決しようとする課題】
【０００３】日常は、掃除をする時は、電気掃除機等で掃除を一日一回か、多くて二回でしょう。その掃除の合間に出てくるペットや人の脱毛した毛、衣類等から出るホコリ、チリを吸着させて、掃除をする、簡単に貼って剥せる掃除用吸着シートをスリッパの底面に装着して、屋内を歩く事で吸着掃除をする目的を解決する。この安価で使い勝手の良い屋内スリッパの底面に装着する掃除用シートを提供するものです。
【課題を解決するための手段】
【０００４】簡単に貼って剥せる粘着剤を塗り付けた掃除用吸着シートを、屋内用スリッパ底面に装着して、そのスリッパを履いて屋内を歩く事で衣類等から出るホコリ、ペット又は人の脱毛した毛等を、吸着させて掃除をし、且つ、シートが汚れたら簡単にはがせて、未使用の掃除用吸着シートを装着して再度使用出来るシートとしたことである。
【発明の効果】
【０００５】本発明にすれば、掃除と掃除の合間で、屋内で飼っているペットや人の脱毛した毛、衣類等から出るチリやホコリを取り除く吸着掃除が出来る掃除用吸着シートを、スリッパの底面に貼着し、床面のホコリ等を吸着し除くことにより、室内に浮遊するホコリ等も少なく成る。従って本発明を使い続ける事で浮遊するホコリ等を口等から吸い込まなくなり、健康にも良い。そこで、介護施設、高齢者養護施設、保育園等の職員さん達が履いているスリッパにこのシートを使っていただければ、施設、園等の利用者の健康にも貢献出来る。特に赤ちゃんのような体力の弱い大事な子供の健康には、屋内に浮遊物のない衛生的な環境を提供できる。手間においてもエアコン、加湿器、除湿器等のエアフィルターに吸着するホコリも少なくなる事によって掃除の間隔が長くなり節電にも役立つ。それ以外にもそのスリッパを足から手に持ち替えて、テレビ台の天板や、テレビ画面のホコリを即座に拭き取れる利点もある。加工されたシートは粘着面に使われる剥離用の紙又はフイルムを必要としない、シートをそのままかさねて置けて、重ねたシートは圧着しても使用する時は一枚ずつ剥せるので、剥離用の紙又はフイルムの無い分コストを抑えられるメリットが有る。本発明は一般に売られているスリッパ、現在家庭内で使用しているスリッパをそのまま使えるので、安価で便利な効果が得られる。
【図面の簡単な説明】
【０００６】
【図１】本発明屋内スリッパの底面に貼って剥せる掃除用吸着シートの斜視図。
【図２】本発明屋内スリッパの底面に貼って剥せる掃除用吸着シートをスリッパに装着した状態を示す側面図。
【発明を実施するための形態】
【０００７】以下、本発明の実施の形態を説明する。
スリッパ底面の形態に加工した掃除用シート１の少なくとも一方の面に粘着剤を塗り付けた接着面２を設ける（図１）。
この時、掃除用シート１は例えば不織布のように表面が毛羽立った状態の素材からなると良く、その毛羽立った状態に粘着性を設けて、接着面２を形成すると良い。
【０００８】掃除用シート１に粘着剤を全面に塗り付けた接着面２をスリッパ４の底面に接着面２を貼り付ける事により（図２）、スリッパ４の底面と接着面２が隙間なく装着され使用中にスリッパ４の底面と接着面２がめくれる事が無くなる。装着され使用中にスリッパ４の底面から接着面２が剥離したりめくれる事がなくなるばかりか、使用後掃除用シート１をスリッパ４から剥がして新しい掃除用シート１を貼る際、不織布の繊維が粘着状態となっているため、線状の粘着作用により、引き剥がしが容易で、且つ、スリッパ４の底面は剥がし残りのない綺麗な状態であるから、スリッパの再使用は長期に渡り可能である。
【０００９】スリッパ４の底面の縁は全て曲面で成り立っている、例えば両面テープ等の形態は直線で成している、スリッパ４の底面の縁には直線のテープ等の形態では馴染まないそこで掃除用シート１の接着面２はその欠点を解決ため、粘着剤を全面に塗付ける事でスリッパ４の底面の縁に関する欠点を解決出来る。
【００１０】掃除用シート１でホコリ等を取払う吸着面３は不織布のように表面が毛羽立った状態の素材で形成されている、スリッパ４の底面に掃除用シート１の接着面２を貼り付けて屋内を歩く事で吸着面３の吸着掃除の効果を得られる。
【００１１】掃除用シート１は不織布で出来ているので、接着面２の面に対して剥離用の紙又は、フイルムを必要としない。掃除用シート１の吸着面３に他のシートの接着面２を重ねて圧着しても剥がし易い、剥離用の紙又はフイルムが無い分コストを抑えられるメリットがある。
【００１２】スリッパ４には一切の工夫や加工をしない。一般に販売されているスリッパ、現在家庭で使用されているスリッパをそのまま使用できるメリットがある。
【００１３】この掃除用シート１は接着面２の表面が不織布の毛羽立った状態で出来ているので、使用中汚れた場合はスリッパ４の底面から簡単に剥がせて、燃えるゴミとして処置できる。その後、新しい掃除用シート１をスリッパ４の底面に接着面２の部位で貼り付けて使用する。
【００１４】対応出来る床材は、フローリング、畳、塩ビタイル、ビニール床シート等に使用可能です。ただし、絨毯においてよほど毛あしが長くなければ、表面上のホコリ、抜け毛等を吸着出来る。
【００１５】スリッパ４の底面に掃除用シート１を装着した状態で、手に持ち替えてテレビ台の天板、テレビ画面、又は机の上部等のホコリを取払う事が簡単に出来る便利さがある。
【００１６】本発明は以上のような構造である。
本発明を使用するときは、掃除用シート１の接着面２をスリッパ４の底面に装着して、吸着面３を使って、衣類等からの出るチリ、ホコリ、さらにペットや人の脱毛した毛等を吸着させて掃除が出来る。又、この掃除用シート１を使い続ける事で屋内に浮遊するチリ、ホコリ等が無くなる事が健康にも良い効果が得られる。吸着面３が汚れた場合、簡単にスリッパ４よりはがして、新しい掃除用シート１を及びスリッパ４の底面に接着面２の部位を貼り付けて使用する使い勝手の良い製品に出来上がった。
【符号の説明】
【００１７】１  掃除用シート
２  接着面
３  吸着面
４  スリッパ
【図１】
2012139477.tif 000003
【図２】
2012139477.tif 000004
(57)【要約】【課題】自由に寝返りをうてて、肩が凝らない掛け布団でありながら、着用したままで日常動作ができる寝具を提供する。【解決手段】略直方体の布もしくは毛布素材によって搆成される掛け布団１であって、両手を通して着用できるように２つの開口部２ならびに前記開口部から連続的に形成された袖３が掛け布団１上に配置され、袖３の位置における掛け布団１の長手方向の横断面の両端と袖口４の先端とが略位置合わせされ、両者のそれぞれの接触面に面ファスナーなどの係止機構部５が配置されたことを特徴とする寝具。【選択図】図１
2012139479.tif 000002
【特許請求の範囲】
【請求項１】
略直方体の布もしくは毛布素材によって構成される掛け布団であって、両手を通して着用できるように２つの開口部ならびに前記開口部から連続的に形成された袖が前記掛け布団上に配置され、袖の位置における前記掛け布団の長手方向の横断面の両端と袖口の先端とが略位置合わせされ、両者のそれぞれの接触面に面ファスナーなどの係止機構部が配置されたことを特徴とする寝具。
【請求項２】
請求項１記載の寝具において、前記掛け布団の長手方向の横断面の両端と袖口の先端との接触面が係止機構部によって係止され、前記掛け布団が平面形状となることを特徴とする寝具。
【請求項３】
請求項１記載の寝具において、前記掛け布団の袖に両手を通して着用し、袖の位置における前記掛け布団の長手方向の横断面の両端に配置された係止機構部同士が接触して係止することを特徴とする寝具。
【発明の詳細な説明】
【技術分野】
【０００１】  この発明は、就寝時に体温が下がらないように保温するための寝具に関する。
【従来技術】
【０００２】布の袋の中に綿、ポリエステルなどの化学繊維、羽毛、羊毛などが詰められた掛け布団を身体の上にかけて、就寝時に体温が下がらないように保温する寝具が存在する。
また、着たままで日常動作ができ、保温性が高められた袖付きの寝袋型かいまき毛布も存在する
【先行技術文献】
【０００３】
【特許文献１】特開２００７−１５２０４７  袖付き寝袋型かいまき毛布
【発明が解決しようとする課題】
【０００４】上記の従来技術においては、寒い冬の朝は、掛け布団の外の気温が低いため、寒くて布団から出づらいという問題があり、２０１０年時点の調査では目覚めてから布団から出るまで１３．３分もの時間を浪費しているとの結果が出ている。
また上記の先行技術においては、袖付き寝袋型かいまき毛布は着用したまま外に出られるため寒くて布団から出づらいという問題は起こりづらくなるが、着用したまま睡眠する必要があるため、一晩で１０−２０回は発生する寝返りが困難となり、さらに肩も凝るため、快適な睡眠を得られづらいという新たな問題を生んでいた。
【課題を解決するための手段】
【０００５】上記の課題を解決するための第一考案は、略直方体の布もしくは毛布素材によって構成される掛け布団であって、両手を通して着用できるように２つの開口部ならびに前記開口部から連続的に形成された袖が前記掛け布団上に配置され、袖の位置における前記掛け布団の長手方向の横断面の両端と袖口の先端とが略位置合わせされ、両者のそれぞれの接触面に面ファスナーなどの係止機構部が配置されたことを特徴とする寝具。
【０００６】上記の課題を解決するための第二考案は、前記掛け布団の長手方向の横断面の両端と袖口の先端との接触面が係止機構部によって係止され、前記掛け布団が平面形状となることを特徴とする寝具。
【０００７】上記の課題を解決するための第三考案は、前記掛け布団の袖に両手を通して着用し、袖の位置における前記掛け布団の長手方向の横断面の両端に配置された係止機構部同士が接触して係止することを特徴とする寝具。
【発明の効果】
【０００８】第一、第二、又は第三考案によれば、就寝時には、前記掛け布団の長手方向の横断面の両端と袖口の先端との接触面が係止機構部によって係止され、前記掛け布団が平面形状となるため、通常の掛け布団として使用でき、自由に寝返りをうてて、さらに肩の凝りも発生しないため、快適に睡眠することができる。
そして起床時には、前記掛け布団の袖に両手を通して着用し、袖の位置における前記掛け布団の長手方向の横断面の両端に配置された係止機構部同士が接触して係止することで、胴体部分を掛け布団で覆うことができるため、体温で温まった掛け布団内の放熱を防ぎ、なおかつ冷たい外気の流入を防ぎながら日常動作が可能となり、寒くて布団から出づらい問題を解決することができる。
【図面の簡単な説明】
【０００９】
【図１】この考案の一実施形態を示すもので、着用できる寝具の斜視図である。
【図２】この考案の一実施形態を示すもので、掛け布団の長手方向の横断面の両端と袖口とが係止された状態の着用できる寝具の斜視図である。
【図３】この考案の一実施形態を示すもので、袖に両手を通して着用された状態の着用できる寝具の斜視図である。
【発明を実施するための形態】
【００１０】以下、本考案の実施の形態について図面を参照しながら詳細に説明する。
図１は着用できる寝具の斜視図である。
略直方体の布もしくは毛布素材によって搆成される掛け布団１であって、両手を通して着用できるように２つの開口部２ならびに前記開口部２から連続的に形成された袖３が前記掛け布団１上に配置され、袖３の位置における前記掛け布団１の長手方向の横断面の両端と袖口４の先端とが略位置合わせされ、両者のそれぞれの接触面に面ファスナーなどの係止機構部５が配置されている。
【００１１】図２は掛け布団１の長手方向の横断面の両端と袖口４とが係止された状態の着用できる寝具の斜視図である。
掛け布団１の長手方向の横断面の両端と袖口４の先端の接触面とが係止機構部５によって係止され、掛け布団１が平面形状となる。そのため就寝時に掛け布団として使用しても、袖部分が邪魔とならず、快適に睡眠できる。
【００１２】図３は、袖３に両手を通して着用された状態の着用できる寝具の斜視図である。
掛け布団１の袖３に両手を通して着用し、袖３の位置における掛け布団１の長手方向の横断面の両端に配置された係止機構部５同士が接触して係止することができる。そのため日常動作を行う際に、着用できる寝具が身体に固定されるため動きやすく、かつ身体が掛け布団１によって密閉されるため保温効果を得ることができ、暖かい。
【符号の説明】
【００１３】１  掛け布団
２  開口部
３  袖
４  袖口
５  係止機構部
【図１】
2012139479.tif 000003
【図２】
2012139479.tif 000004
【図３】
2012139479.tif 000005
(57)【要約】【課題】高齢者の方や、視力の衰えた方が縫い針の糸通し穴に糸を通すには、糸通し穴を目で見て糸を穴に通していた、又は糸通し器の針金部分を縫い針の糸通し穴に差込む方法をとっていが、縫い針の糸通し穴は小さく、その穴に糸も糸通し器の針金部分も差し込むのは困難であった。本発明は、縫い針の糸通し穴へ糸を通す器具を提供する。【解決手段】板の表面中央に、板の厚みの中ごろまでの深さで凹形状の穴を設け、板の上部から板の厚みのなかごろを貫通した穴を凹形状の穴まで設け、板の裏面から凹形状の穴の底を貫通した入り口が広く凹形状の穴の底部分の出口が縫い針糸通し穴と同じ大きさとなる円錐形の穴を設けた器具に拡大鏡を組み込んだ板と連結して重ねた器具。【選択図】図７
2012139430.tif 000002
【特許請求の範囲】
【請求項１】
板の表面中央に板の厚みの中ごろまで凹形状の穴を設け、板の裏面から入り口が広く凹型状の穴の底で縫い針糸通し穴と同じ大きさの穴となる円錐形状の穴を設け、その穴に糸通し器具針金部分が通るようにし、板の上部より板の厚みの中ごろを貫通した穴を凹形状の穴まで設け、その穴に縫い針を通すようにした縫い針糸通し器具。
【発明の詳細な説明】
【技術分野】
【０００１】本発明は、縫い針の糸通し穴へ糸を通すことに関するものである。
【背景技術】
【０００２】  従来、縫い針の糸通し穴に糸を通すには、糸通し穴を目で見て、糸を糸通し穴に差し入れているか、糸通し器具の針金部分を糸通し穴に差し入れてから、その針金の間に糸を通して、糸通し穴から針金を引き抜くことで、糸を糸通し穴に通していた。
【発明の概要】
【発明が解決しようとする課題】
【０００３】  高齢者の方や視力の落ちてる方は、縫い針の糸通し穴を目で見て糸を通すことや、糸通し器具の針金部分を縫い針糸通し穴に通すことは、縫い針糸通し穴が小さいため困難であった。
本発明は、以上の問題点を解決するためになされたものである。
【課題を解決するための手段】
【０００４】  板（１）の表面（１１）の中央に凹形状の穴（３）を板（１）の厚みの中ごろまでの深さに設け、板の上部（１６）から板（１）の厚みの中ごろを貫通した穴（２）を凹形状の穴（３）まで設ける、板（１）の裏面（１２）から凹形状の穴（３）の底を貫通して入り口が広く凹形状の底で縫い針糸通し穴と同じ大きさの穴となる円錐形状の穴（４）を設ける。
拡大鏡（１３）を組み込んだ板（１４）を板（１）に蝶番（１５）で連結し開閉出来るようにして設ける。
以上の構成よりなる縫い針糸通し器具。
【発明の効果】
【０００５】  従来困難であった縫い針の糸通し穴へ糸を通すことを、本発明によって糸通し器具の針金部分を縫い針の穴に通しやすくする事で、簡単に縫い針糸通し穴へ糸を通す事が出来るので、お年寄りの方や視力の衰えた方でも、縫い針糸通し穴へ糸を通すことが簡単に出来るようになった。
【図面の簡単な説明】
【０００６】
【図１】  本発明の斜視図
【図２】  本発明を使用している状態を示す正面図
【図３】  本発明を使用している状態を示す裏側の斜視図
【図４】  本発明を使用している状態を示す表側の斜視図
【図５】  本発明を使用している状態を示す表側の斜視図
【図６】  本発明を使用している状態を示す裏側の斜視図
【図７】  本発明の主要部分の側面断面図
【発明を実施するための形態】
【０００７】    以下、本発明の実施の形態を説明する。
（イ）板（１）の板表面（１１）の中央に凹形状の穴（３）を板（１）の厚みの中            ごろまでの深さで設ける。
（ロ）板（１）の板裏面（１２）から、凹形状の穴（３）の底を突き抜けて円錐形            状の穴（４）を設ける。
（ハ）穴（２）を板（１）の板の上部（１６）から板（１）の厚みの中ごろを貫通            して凹形状の穴（３）まで設ける。
（ニ）拡大鏡（１３）を板（１４）の中央に組み込み板（１）に蝶番（１５）で連            結して重ねる。
本発明は以上のような構造である。
本発明を使用するときには、図７で示すように板（１）の上部（１６）の穴（２）から、縫い針（５）を縫い針糸通し穴（６）を先にして円錐形状の穴（４）の位置に縫い針糸通し穴（６）が合わさる位置まで差し込む。
図２に示すように拡大鏡（１３）からに縫い針糸通し穴（６）と円錐形状の穴（４）を見て、縫い針糸通し穴（６）と円錐形状の穴（４）が重なるように縫い針（５）を回して調整。
図３に示すように板裏面（１２）の円錐形状の穴（４）へ糸通し器具針金部分（１０）を差し込む。
図４に示すように糸通し器具針金部分（１０）が円錐形状の穴（４）を介して縫い針糸通し穴（６）と凹形状の穴（３）を貫通する。
図４に示すように糸通し器具針金部分（１０）の輪の中に糸（８）を通す。
図５に示すように糸通し器具の針金部分（１０）を円錐形状の穴（４）から引き抜く。
図６に示すように糸通し器具針金部分（１０）より糸（８）を引き抜く。
図６に示すように縫い針（５）を穴（２）より引き抜く、縫い針糸通し穴（６）に糸（８）が通っている。
【符号の説明】
【０００８】１板、２穴、３凹形状の穴、４円錐形状の穴、５縫い針、６縫い針糸通し穴、７糸通し器具、８糸、９糸巻き、１０糸通し器具針金部分、１１板表面、１２板裏面、１３拡大鏡、１４板  １５蝶番、１６板の上部
【図１】
2012139430.tif 000003
【図２】
2012139430.tif 000004
【図３】
2012139430.tif 000005
【図４】
2012139430.tif 000006
【図５】
2012139430.tif 000007
【図６】
2012139430.tif 000008
【図７】
2012139430.tif 000009
(57)【要約】      （修正有）【課題】座席の高さが異なる、さらに、座席が前後に分かれているため、移動中での二人の意思疎通が図りにくいという問題点を解決する二人乗り三輪自転車を提供する。【解決手段】運転者と非運転者、二人の目線の高さが同じになり、さらに、運転者の隣に非運転者の座席を有することで移動中にお互いの意思疎通を図りやすくし、運転者と非運転者とのコミュニケーションが活性化し、移動という手段が、楽しく、より豊かになる後二輪の三輪自転車とする。【選択図】図１
2012121464.tif 000002
【特許請求の範囲】
【請求項１】
乗車時に二人の目線の高さを同じにし、横二人乗りの座席にすることで、コミュニケーション活性化を図り、移動そのものの魅力を向上させる二人乗り三輪自転車。
【発明の詳細な説明】
【技術分野】
【０００１】
本発明は、運転者と非運転者との意思疎通がとりやすい、横二人乗り三輪自転車に関する。
【背景技術】
【０００２】
現行には二人乗り自転車がある（例えば、特許文献１）。これは、非運転者の座席は、リカンベルト式で、運転者の座席は一般自転車型のサドルなので、視点の高さに差が生じてしまい、コミュニケーションをとるのが難しい。
【０００３】
また、車体前方が運転者の座席、車体後方に非運転者の座席を設けた自転車もある（意匠文献１）。これは、運転者と非運転者の座席が前後に分かれているため、コミュニケーションをとるのが難しい。
【先行技術文献】
【特許文献】
【０００４】
【特許文献１】特開２００４−１５５３９８号公報
【非特許文献】
【０００５】
【非特許文献１】意匠登録１２８４６１８号公報
【発明の概要】
【発明が解決しようとする課題】
【０００６】
従来の二人乗り三輪自転車は、上記のとおり、座席の高さが異なる自転車であるか、運転者と非運転者の座席が前後に分かれている自転車であるため、コミュニケーションはとりにくく運転の判断と意思決定は運転者次第である。これは、移動中、その時々の景色、会話など、二人が共有する場面において、よい環境とはいえない。本発明は、移動中の魅力向上を図ることを目的とする。
【０００７】
本発明は、二人で協力しあって運転する二人乗り三輪自転車の発明である。
【課題を解決するための手段】
【０００８】
本発明は、運転者の隣に非運転者の座席を配置しかつ、同じ目線の高さにすることで、移動中にお互いの意思疎通を図りやすくし、この課題を解決した。
【発明の効果】
【０００９】
運転者と非運転者とのコミュニケーションが活性化し、二人で協力しあうことで、移動という手段が、楽しく、より豊かになる効果を発揮する。
【図面の簡単な説明】
【００１０】
【図１】図１は本発明の二人乗りの場合の側面乗車図である。
【図２】図２は本発明の二人乗りの場合の正面乗車図である。
【図３】図３は電動アシスト付自転車  機構配置側面図である。
【図４】図４は電動アシスト付自転車  機構配置上面図である。
【図５】図５は電動アシスト付自転車  機構詳細側面図である。
【図６】図６は電動アシスト付自転車  機構詳細上面図である。
【発明を実施するための形態】
【００１１】
以下、本発明の実施の形態を図１〜図４に基づいて説明する。
【実施例１】
【００１２】
図１は、本発明の１実施例の側面図であって、横二人乗りで、運転者が運転し、非運転者が運転者と意思疎通を図りやすい座席配置をとる。
【００１３】
図２のように、運転者と非運転者がなるべく近い距離感を保ち、視線の高さも同じになるような座席配置をとる。
【００１４】
図３の１を漕いだ動力を２で３に伝える。
【００１５】
図３の３の力が、図４の１１、１２に伝わる。
【００１６】
さらに、図３の４、６は５によって動力が伝わる。
【００１７】
図３の７により、推進力が付加される。
【００１８】
上記の付加された力が、図４の１３、１４へと伝わり、後輪が回転する。
【００１９】
図３の８の回転動力が、図３の９から図４の１０に伝わり、さらに、その動力が図４の１５、１６に伝わり、前輪が左右に動く。
【符号の説明】
【００２０】
１  ペダル
２  チェーン  
３  ギア  
４  ギア
５  チェーン
６  ギア
７  電気モーター
８  ハンドル
９  かさ歯車
１０  かさ歯車
１１  かさ歯車
１２  かさ歯車
１３  かさ歯車
１４  かさ歯車
１５  かさ歯車
１６  かさ歯車
【図１】
2012121464.tif 000003
【図２】
2012121464.tif 000004
【図３】
2012121464.tif 000005
【図４】
2012121464.tif 000006
【図５】
2012121464.tif 000007
【図６】
2012121464.tif 000008
(57)【要約】【課題】前部座席と後部座席の高さが同じであるために、後部座席者の前方視野がほとんどないという問題があった。【解決手段】運転者席である前方座席を、リカンベルト形の座席、非運転者席である後部座席を、浅掛けの着座姿勢をとる座席を設けることで、視線の高さ位置に差を作り、後部座席者の前方視野を確保した。【選択図】図１
2012121462.tif 000002
【特許請求の範囲】
【請求項１】
本発明は、運転者席である前方座席を、リカンベルト形の座席、非運転者席である後部座席を、浅掛けの着座姿勢をとる座席を設けることで、視線の高さ位置に差を作り出した、前後二人乗り三輪自転車。
【発明の詳細な説明】
【技術分野】
【０００１】
本発明は、目線の高さに違いを設けることで後部座席者の視野を確保する、前後二人乗り三輪自転車に関する。
【背景技術】
【０００２】
現行の自転車には、運転者を含めて二人乗りの、電動アシスト機能を備えた三輪自転車がある。（例えば、特許文献１）
【先行技術文献】
【特許文献】
【０００３】
【特許文献１】特開２００６−８００５号公報
【発明の概要】
【発明が解決しようとする課題】
【０００４】
以上に述べた従来の二人乗り三輪自転車は、前部座席と後部座席の高さが同じであるために、後部座席者の前方視野がほとんどない状態である。
【０００５】
本発明は、後部座席者の前方視野を確保した、前後二人乗り三輪自転車の提案である。
【課題を解決するための手段】
【０００６】
そして、本発明は、運転者席である前方座席を、リカンベルト形の座席、非運転者席である後部座席を、浅掛けの着座姿勢をとる座席を設けることで、視線の高さ位置に差を作り出した。
【発明の効果】
【０００７】
上記の課題解決手段による作用は、後部座席者の、前方視野が確保されることである。
【図面の簡単な説明】
【０００８】
【図１】図１は本発明の二人乗りの場合の側面乗車図である。
【図２】図２は本発明の二人乗りの場合の、着座位置の高さ寸法を記した側面図である。
【発明を実施するための形態】
【０００９】
以下、本発明の実施の形態を図１〜図４に基づいて説明する。
【実施例１】
【００１０】
図１は、本発明の１実施例の二名乗車時の側面図であって、前部座席で一名がリカンベルト式の座席に座って自転車運転を行い、後部座席は浅掛けの座席に座る着座方法を採る。
【００１１】
図２のように、前部座席者の最適着座位置は、本体床高さから４２０ｍｍであり、後部座席者の最適着座位置は、本体床高さから６８０ｍｍ高さである。
【００１２】
これにより、後部座席者の目線の高さ位置は、前部座席者の頭位置から１５０ｍｍ高い位置となる。
【００１３】
また、この実施例では、図２のように、後部座席者のスペースが４６０ｍｍで収まるため、よりコンパクトな前後二人乗り三輪自転車の開発が可能となる。
【００１４】
さらに、この実施例では、図２のように、前部座席者と後部座席者の距離が近く、コミュニケーションが取りやすいため、観光用の乗り物に適していると考えられる。
【図１】
2012121462.tif 000003
【図２】
2012121462.tif 000004
(57)【要約】【課題】日常的に使用する箱形ティッシュペーパーを横面長手方向から取出し出来るものを提供する。【解決手段】従来の上面からの箱形ティッシュペーパーの取り出しを、横面長手方向から取り出し出来るようにする。【選択図】図２
2012121628.tif 000002
【特許請求の範囲】
【請求項１】
（１）箱形ティッシュペーパーのティッシュペーパー取出し口を横面長手方向に設けティッシュペーパーを取り出し使用する。
【発明の詳細な説明】
【技術分野】
【０００１】本発明は、ティッシュペーパーを横面長手方向から取り出すが事が出来、机上の本と本の間に立てた状態でも、ティッシュペーパーを取り出すことが出来る、又車のダッシュボード、ドアポケット、座席の後ろのポケット等にいれた状態でも簡単にティッシュペーパーを取り出す事が出来るようにしたものである。
【背景技術】
【０００２】従来は、ティッシュペーパーを横面長手方向から取り出し出来るのはなかった。
【先行技術文献】
【特許文献１】
【０００３】
【発明の概要】
【発明が解決しようとする課題】
【０００４】従来の箱型ティッシュペーパーは、取り出し口が上面に限られているため台の上に置いた状態でしかスムーズに使用出来なかった．
【課題が解決するための手段】
【０００５】そこで本発明にあっては、上記問題を解決するためにティッシュペーパーを取り出す口を横面長手方向からにした。
【発明の効果】
【０００６】狭いスペースや自動車内のダッシュボード、ドアポケット、机の天板の裏面にもとりつけて使用出来、とても便利である。
【図面の簡単な説明】
【０００７】
【図１】  本発明の平面図ある。
【図２】  本発明の横面短辺方向の断面図である。
【発明を実施するための形態】
【０００８】以下、本発明の実施の形態について、図面を参照しつつ詳細に説明する。
（イ）．長方形立方体の箱型で高さ：４５ｍｍ、横の長さ：３０ｍｍ、奥行き：１２０ｍｍ、２ティッシュペーパー取出口は、横面長手方向からで、取り出し口は横面長手方向中央部に設ける。
（ロ）．３ティッシュペーパーは箱内部に格納し横面長手方向から取り出せるように収納する。
【符号の説明】
【０００９】１スマートティッシュ本体
２ティッシュペーパー取出口
３ティッシュペーパー
【図１】
2012121628.tif 000003
【図２】
2012121628.tif 000004
(57)【要約】【課題】本発明は冷凍保存袋に受け皿をいれ、空気抜きを付けた、冷凍保存袋。【解決手段】冷凍保存袋に仕切りの付けた、受け皿を入れ袋の底部分に栓を付けた空気抜きを設けた、冷凍保存袋。【選択図】図１
2012121626.tif 000002
【特許請求の範囲】
【請求項１】
開口部に開閉手段を有する保存袋の中に仕切りを設けた受け皿を入れ、保存袋の底部分に空気抜き穴を設け、その空気抜き穴と栓を連結されたことを特徴とする保存袋。
【発明の詳細な説明】
【技術分野】
【０００１】  本発明は中仕切り付き受け皿を入れた空気抜き付き保存用袋に関するものである。
【背景技術】
【０００２】  従来、冷凍保存袋は汁ものを入れる時、空気を抜く時、解凍する時に汁が漏れ出て、あたりを汚す事がある。
【発明の概要】
【発明が解決しようとする課題】
【０００３】  従来の冷凍保存袋は小分けをする事が出来ず、内容物を入れる時、解凍をする時に、汁が漏れ出て、あたりを汚さぬように、配慮が必要である。
【課題を解決する為の手段】
【０００４】  上記の欠点を解消する為の本発明は、冷凍保存袋の中に仕切りを付けた、受け皿を入れて、袋の底の部分に栓を付けた空気抜きを設ける、冷凍保存袋である。
【発明の効果】
【０００５】  袋の中に仕切りの付いた受け皿を入れ、小出しが出来るようになり、なおかつ受け皿が内容物の入れる目安とし、袋の底の部分に栓を付けた空気抜きを設けることによって、内容物を入れる時、解凍時の汁漏れを防ぐ事が出来る。
【図面の簡単な説明】
【０００６】
【図１】  本発明の平面図
【図２】  本発明の断面図
【図３】  要部Ａ拡大図
【本発明を実施するための形態】
【０００７】  以下、本発明の実施の形態について説明する。
冷凍保存袋に仕切り（２）の付けた受け皿（１）を入れる。冷凍保存袋の底部分に、保存袋内部の空気を外部に放出するための空気抜き穴（３）を設ける。前記、空気抜き穴（３）には栓（６）が連結されており、栓（６）の開閉が行えるようになっている。
また、保存袋の開口部（７）には、開閉手段を行えるチャック（４）が保存袋内壁に設けられている。
また、チャックは密閉をより高めるために、１本または２本など複本数設けても良い。
空気抜き穴（３）は外側に突出部（３ａ）を有しており、栓（６）は外壁と内壁を有している。
空気抜き穴（３）に栓（６）をしたとき、この外壁（６ａ）と内壁（６ｂ）で空気抜き穴（３）の突出部（３ａ）を挟むため、密閉度が増す。
【符号の説明】
【０００８】１受け皿  ２受け皿内の仕切り  ３空気抜き穴（３ａ）突出部  ４チャック
５保存袋  ６栓６ａ外壁６ｂ内壁  ７開口部
【図１】
2012121626.tif 000003
【図２】
2012121626.tif 000004
【図３】
2012121626.tif 000005
(57)【要約】【課題】今までのしおりは、本から落ちやすく、特にラミネートされたものは、滑りやすかった。【解決手段】しおりにマグネットを設ける。そうすることで、しおりが書物から滑り落ちることを防げる。【選択図】図１
2012121314.tif 000002
【特許請求の範囲】
【請求項１】
しおりにマグネットを設けたことを特徴とするしおり
【発明の詳細な説明】
【技術分野】
【０００１】この発明は、本にはさむしおりにマグネットを付けて落ちなくする。
【背景技術】
【０００２】  従来のしおりを２枚にして、マグネットで紙面を挟むことにより、しおりを落ちないようにした物。
【発明の概要】
【発明が解決しようとする課題】
【０００３】  美しい落ち葉を収集して、パウチし、しおりを作っていたが、滑りやすく、本からいつの間にか滑り落ちでしまっていることが良くあった。そこでこの発明は、本から落ちないしおりを作成することを課題とする。
【課題を解決するための手段】
【０００４】  以上の課題を解決するために、表裏に同じ大きさの落ち葉を重なるように工夫し、ペーパーマグネットを付けた。
【発明の効果】
【０００５】  紙面をはさむことで、落ちない。見た目にも美しく、かさばらず、大変便利である。
【図面の簡単な説明】
【図１】この発明の実施形態および作成の仕方を図１に示す。
【発明を実施するための形態】
【０００６】  この発明の実施形態を図１に示す。しおりは、出来るだけ同じ大きさの小さめの葉を捜し、すぐにラミネート加工する。表裏に重ねて穴を開け、両面テープでペーパー磁石を付ける。細めのリボンで結ぶ。
【０００７】  「実施形態の効果」
この実施形態によれば、マグネットで紙面をはさむことにより、しおりが書物から滑り落ちることはない。
【図１】
2012121314.tif 000003